(57)【要約】      （修正有）【課題】ＥＭＦの影響によりトリガされる報告及びセル選択を提供する。【解決手段】無線通信ネットワーク内ＵＥは、ＵＥによるセルの使用に起因してアップリンク（ＵＬ）及び／又はダウンリンク（ＤＬ）上で起こると推定される、セル内にいる人へのＥＭＦ曝露に基づき、測定報告又はセル選択を実施する。ネットワークは、ＵＥが特定のセルへ接続されるときに生じるＥＭＦの影響をＵＥが理解できるようにするために、インジケーションをＵＥへ送る。ＬＴＥへの適用のために、新しいイベントによりトリガされるＵＥ測定報告の基準は、新しいＥＭＦに関連したメトリックに基づきＵＥが測定報告することを可能にするよう、且つ、ＥＭＦの影響に関して測定報告をトリガするよう提案される。新しいＥＭＦに基づく測定報告は、セル選択／再選択プロセスが環境へのＥＭＦの影響の最小化又は最適化を考慮することを可能にする。【選択図】図６
2017079468.tif 000002
【特許請求の範囲】
【請求項１】
１つ以上のセルを有する無線通信ネットワークにおいて使用される端末であって、前記セルのうちの少なくとも１つのセルは、当該端末のためのサービングセル又は潜在的なサービングセルであり、１人以上の人によって占有されるカバレッジエリアを有し、前記人のうちの少なくとも１人の人は、当該端末のユーザではない、端末において、
前記少なくとも１つのセルの夫々について電磁場（ＥＭＦ）曝露に関するインジケーションを含む前記ネットワークからのメッセージを受信する受信器と、
前記インジケーションに少なくとも基づき、前記少なくとも１つのセルとのダウンリンク及び／又はアップリンク上の無線通信を実施する当該端末の前記１人以上の人のうちの少なくとも１人の人に対するＥＭＦの影響を推定するコントローラと
を有する端末。
【請求項２】
前記コントローラは、無条件に、あるいは、前記推定されたＥＭＦの影響が基準を満たす場合に、前記推定されたＥＭＦに関する測定報告を生成するよう更に構成される、
請求項１に記載の端末。
【請求項３】
前記測定報告は、前記推定されたＥＭＦの影響のインジケーションを含む、
請求項２に記載の端末。
【請求項４】
前記コントローラは、前記推定されたＥＭＦの影響に少なくとも基づきセルを選択するよう更に構成される、
請求項１に記載の端末。
【請求項５】
前記インジケーションは、当該端末が前記セルからの伝送を受信することにより生じると期待されるＥＭＦレベルを示す、
請求項１に記載の端末。
【請求項６】
前記コントローラは、
当該端末によって期待されるデータレート、
当該端末によって期待される伝送の存続期間、
前記セルの及び／又は当該端末の伝送電力、
当該端末への及び／又は前記セルへの経路損失、
当該端末での及び／又は前記セルの受信アンテナでの干渉レベル、
前記セルの及び／又は当該端末の、送信アンテナ、又はアンテナポートの数、
前記セルのカバレッジエリア内の人の数、並びに当該端末からの及び／又は前記セルの送信アンテナからの彼らの平均距離、及び
リファレンス信号電力
のうちの少なくとも１つを用いて前記推定を実施する、
請求項１に記載の端末。
【請求項７】
無線通信ネットワークにおいて少なくとも１つのセルを提供する基地局であって、
前記少なくとも１つのセルの夫々についてＥＭＦ曝露に関するインジケーションを得るコントローラと、
前記インジケーションを少なくとも１つの端末へ送信する送信器と
を有する基地局。
【請求項８】
前記送信器は、当該基地局によるシステム情報ブロードキャストにおいて前記インジケーションを送信するよう構成される、
請求項７に記載の基地局。
【請求項９】
前記送信器は、特定のシグナリングによって前記端末へ前記インジケーションを送信するよう構成される、
請求項７に記載の基地局。
【請求項１０】
前記インジケーションは、
前記端末が前記少なくとも１つのセルからの伝送を受信することで生じると期待されるＥＭＦレベルの直接又は相対インジケーション、
前記少なくとも１つのセルからのＤＬ伝送の伝送特性のインジケーション、
前記少なくとも１つのセルのＵＬ受信能力のインジケーション、
前記少なくとも１つのセル内の人の数のインジケーション、及び
前記端末への又はからの伝送経路の近くでの人の数のインジケーション
のうちの少なくとも１つを含む、
請求項７に記載の基地局。
【請求項１１】
前記インジケーションに基づき推定されるＥＭＦの影響のインジケーションを含む測定報告を前記端末から受信するよう構成される受信器
を更に有する請求項７に記載の基地局。
【請求項１２】
前記コントローラは、前記ネットワークにおける他の基地局によって提供されるセルについてのリファレンス信号電力の値を得る、
請求項７に記載の基地局。
【請求項１３】
前記コントローラは、当該基地局によって提供されるセルによってサービングされる端末からの受信電力の測定を得る、
請求項７に記載の基地局。
【請求項１４】
請求項１に記載の少なくとも１つの端末及び請求項７に記載の少なくとも１つの基地局を有する無線通信システム。
【請求項１５】
基地局において、少なくとも１つのセルの夫々についてのＥＭＦ曝露に関するインジケーションを取得し、該インジケーションを端末へ送信し、
前記端末において、前記インジケーションを受信し、該インジケーションに少なくとも基づき、前記少なくとも１つのセルとのダウンリンク及び／又はアップリンク上の無線通信を実施する前記端末の１人以上の人に対するＥＭＦの影響を推定する
ことを有する無線通信方法。
【発明の詳細な説明】
【技術分野】
【０００１】
本発明は、無線通信システムにおいて使用される端末に関係がある。本発明は、無線通信システム自体、無線通信システムにおいて使用される基地局、及び無線通信方法に更に関係がある。
【０００２】
特に、しかし排他的ではなく、本発明は、例えば、３ＧＰＰ規格シリーズのリリース１２（Ｒｅｌ−１２）以降に記載されるような、ＬＴＥ（Long  Term  Evolution）及びＬＴＥアドバンスド無線技術標準に従うことができる無線通信システムにおいてハンドオーバー又は測定報告のためにセルを選択するよう端末を支援する技術に関係がある。
【背景技術】
【０００３】
無線通信システムは広く知られている。無線通信システムにおいて、端末（ユーザ機器（user  equipment）若しくはＵＥ、加入者又は移動局とも呼ばれる。）は、端末の範囲内にある基地局（ＢＳ）と通信する。
【０００４】
１つ以上の基地局によってサービングされる地理的範囲は、一般的にセルと呼ばれている。通常、多くのＢＳが、隣接した又は重なり合ったセルにより事実上シームレスに広範な地理的範囲をカバーするネットワーク（無線アクセスネットワーク（Radio  Access  Network）又はＲＡＮ）を形成するように、適切な位置に設けられる。（本明細書では、語「システム」及び「ネットワーク」は同義語として使用される。）夫々のＢＳは、１つ以上のセル（光ファイバケーブルのような固定リンクを介してＢＳへリンクされているリモートレディオヘッド（Remote  Radio  Head；ＲＲＨ）によって形成されるセルを含む。）をサポート又は提供してよい。夫々のセルにおいて、ＢＳは、通常は、その利用可能なバンド幅、すなわち、周波数及び時間リソースを、自身がサービングするユーザ機器のための個々のリソース割り当てに分割する。端末は、一般的にモバイルであり、従って、セルの間を動いて、隣接したセルの基地局間のハンドオーバーの必要性を促してよい。端末は、同時に複数のセルの範囲内であってよい（すなわち、複数の端末からの信号を検出すること及び／又は複数の端末と通信することができる。）が、最も簡単な場合において、それは、１つの“サービング”セルと通信する。
【０００５】
１タイプのセルラー無線ネットワークは、ロングタームエボリューション（ＬＴＥ）と呼ばれる標準の組に基づく。標準の現在のバージョンであるリリース１１（Ｒｅｌ１１）はＬＴＥ−Ａ（ＬＴＥアドバンスド）とも呼ばれ、リリース１２のための仕様は現在完成しようとしている。ＬＴＥにおけるネットワークトポロジは図１で説明される。図示されるように、ＬＴＥにおいてＵＥと呼ばれる夫々の端末１０は、エアインターフェイス（図１ではＵｕと表記される。）を介して無線により、エンハンスドノードＢ又はｅＮＢ２０の形をとる基地局へ接続する。様々なタイプのｅＮＢが可能である点が留意されるべきである。ｅＮＢは、異なるキャリア周波数で１つ以上のセルをサポートしてよい。夫々のセルは、異なる伝送電力及び異なるアンテナ構成を有し、従って、異なるサイズのカバレッジエリア（セル）を提供する。所与の地理的範囲において配置される複数のｅＮＢは、Ｅ−ＵＴＲＡＮと呼ばれる無線ネットワーク（以降、概して、簡単に「ネットワーク」と呼ばれる。）を構成する。ＬＴＥネットワークは、時分割デュプレクス（ＴＤＤ；Time  Division  Duplex）モードで動作することができる。このモードにおいて、アップリンク（ＵＬ）及びダウンリンク（ＤＬ）は、時間において分離されているが、同じキャリア周波数を使用する。あるいは、ＬＴＥネットワークは、周波数分割デュプレクス（ＦＤＤ；Frequency  Division  Duplex）で動作することができる。このモードにおいて、アップリンク及びダウンリンクは、異なるキャリア周波数で同時に起こる。無線リソース制御（ＲＲＣ；Radio  Resource  Control）は、ＵＥ及びｅＮＢにおけるプロトコルレイヤであり、ＵＥとｅＮＢとの間のＲＲＣ接続の確立、維持及び解放を含む、エアインターフェイスの様々な態様を制御する。よって、ＵＥがセルによってサービングされるためには、そのセルを提供又は制御するｅＮＢとのＲＲＣ接続を意味する。
【０００６】
次いで、夫々のｅＮＢ２０は、サービングゲートウェイ（Ｓ−ＧＷ；Serving  Gateway）、及びシステムを管理し且つ制御シグナリングをネットワーク内の他のノード、特にｅＮＢへ送るモビリティ管理エンティティ（ＭＭＥ；Mobility  Management  Entity）を含む、より高いレベル又は“コアネットワーク”エンティティ１０１への（通常は）有線のリンク（図１中、Ｓ１）によって接続される。加えて（図示せず。）、パケットデータネットワーク（ＰＤＮ；Packet  Data  Network）ゲートウェイ（Ｐ−ＧＷ）が別個に又はＳ−ＧＷと組み合わせて存在し、インターネットを含む如何なるパケットデータネットワークともデータパケットを交換する。このように、ＬＴＥネットワークと他のネットワークとの間では通信が可能である。更なるノード（図示せず。）は、運用（Operation）、管理（Administration）、及び保守（Maintenance）（ＯＡＭ）システムと呼ばれ、ネットワーク及び異なるＲＡＮ間の協調を管理することに関与する。一方で、ｅＮＢは、図示されている有線又はＸ２インターフェイスを介してｅＮＢ間で通信することができる。
【０００７】
図１は、「同種ネットワーク（homogeneous  network）」、すなわち、計画的レイアウトにおける基地局のネットワーク、と時々呼ばれものであって、同様の伝送電力レベル、アンテナパターン、受信ノイズフロア、及びコアネットワークへの同様のバックホール接続性を有するものを示す。現在の無線セルラーネットワークは、通常は、マクロ中心の計画的プロセスを使用する同種ネットワークとして展開される。基地局の位置は、ネットワーク計画によって注意深く決定され、基地局設定は、カバレッジを最大限にし且つ基地局間の干渉を制御するよう適切に構成される。従来、“ドライブテスト”は、人がネットワークによってカバーされる地理的範囲の周りを物理的に走行し、特殊化した測定機器により計測を行うことを伴いながら、ネットワークの構成及び保守に必要とされるデータを収集するために使用されてきた。より最近では、いわゆるドライブテストの省力化（ＭＤＴ；Minimization  of  Drive  Test）は、必要な測定を提供するためにネットワーク内のデバイス（端末）を用いる。ＭＤＴについてのＵＥによる報告は、ＯＡＭシステムによって制御される。
【０００８】
将来のセルラー無線ネットワークは、２つ以上の異なった種類のセルから成る「ヘテロジニアスネットワーク（heterogeneous  network）」を採用する。１つの配置はスモールセルネットワーク（Small  Cell  Network）、すなわちＳＣＮ、とも呼ばれる。
【０００９】
ＳＣＮの動機は、トラフィック容量を改善するために、ネットワークノードの数を増やしてそれらを端末へ物理的に近づけ、無線通信システムの達成可能なユーザデータレートを伸ばすというネットワークち密化の考えである。ＳＣＮは、既存のマクロノードレイヤのカバレッジの下での相補的な低電力ノードの配置によってネットワークち密化を達成する。そのようなヘテロジニアスネットワークにおいて、低電力ノードは、例えば、屋内及び屋外のホットスポット地点で、極めて高いトラフィック容量及び極めて高いユーザスループットを局所的に提供する。一方で、マクロレイヤは、全体のカバレッジエリアにわたるサービス利用可能性及びクオリティ・オブ・エクスペリエンス（ＱｏＥ；Quality  of  Experience）を確かにする。すなわち、低電力ノードを含むレイヤは、広域をカバーするマクロレイヤと対照的に、局所エリアアクセスを提供するものとしても見なされ得る。
【００１０】
図２は、単純なＳＣＮを表す。大きい楕円は、基地局（マクロＢＳ）２０によって提供されるマクロセルのカバレッジエリア又はフットプリントを表す。より小さい楕円は、マクロセルのカバレッジエリア内の小セル（例えば、ピコ又はフェムトセル）を表す。夫々のセルは、各自の低電力基地局２１〜２６（ピコＢＳ２１によって例示される。）を有する。ここで、マクロセルは、ある領域のネットワークにおける基本カバレッジの“マクロレイヤ”を提供するセルであり、小セルは、同じ又は異なるキャリア周波数を用いてマクロセルにオーバーレイされ、特にいわゆるホットスポットゾーン内の容量押し上げを目的として“低電力レイヤ”を提供する。ＵＥ１０は、図中矢印で示されているように、マクロＢＳ２０及びピコＢＳ２１の両方と通信することができる。
【００１１】
ＳＣＮシナリオでは、マクロＢＳは、ＵＥのためのモビリティアンカー点であり、小セル間のＵＥのハンドオーバーのための制御シグナリングを提供することができる。ピコＢＳ２１が一例として示されているが、フェムトセルを提供するホームｅＮＢ（ＨｅＮＢ）、あるいは、デバイス・ツー・デバイス（Ｄ２Ｄ）モードで動作することができる場合には他のＵＥさえも含め、様々なタイプの局が小セルを提供することができる点が留意されるべきである。このように、図２に示される他の基地局２２〜２６は、他のピコセル、あるいは、代替的に、ピコ基地局２１の周りのピコセルよりも電力が低く且つ範囲が小さいフェムトセルを形成してよい。如何なるそのようなセルも、以降では、「小セル」と単に呼ばれる。
【００１２】
マクロセルの存在は必須ではなく、ＳＣＮは小セルのみから成ってよい点が留意されるべきである。如何なる場合でも、しかしながら、同じ又は近接位置でのセル間の協調は必要とされ、これは、マクロＢＳに直接には接続されていないＵＥのためにさえ、マクロＢＳ２０のようなプライマリｅＮＢによって都合良く提供される。
【００１３】
付随的に、小セルは、オープンアクセスモード又は閉じたサブスクライバグループ（ＣＳＧ；closed  subscriber  group）モードのいずれか一方において構成され得る。閉じたサブスクライバグループ（ＣＳＧ）モードでは、小セルのアクセス制御リストに含まれているユーザのみがセルにアクセスすることを許可され、一方、オープンアクセスモードでは、如何なるユーザもアクセスを許可される。ＣＳＧアイデンティティは、ＣＳＧモードにおける小セルによってブロードキャストされる。いわゆるハイブリッドアクセスも可能である。これはオープンアクセスの変形であり、如何なるＵＥも普通はセルへのアクセスを有するが、セルはＣＳＧセルとしても動作し、混雑が起こるときにはＣＳＧのメンバーへサービスの優先権を与える。
【００１４】
記載される本発明を理解するのを助けるよう、ＬＴＥネットワーク内の様々な抽象化のレベルにおいて定義される、データ及びシグナリングのためのＥ−ＵＴＲＡＮについて、いくらかの説明がこれより与えられる。
【００１５】
図３は、物理チャネルレベル（レイヤ１）；トランスポートチャネルレベル、論理チャネルレベル、無線ベアラレベル及び制御トラフィックレベル（まとめてレイヤ２を形成する。）；並びにユーザトラフィックの制御プレーン及びインターネットプロトコル（ＩＰ；Internet  Protocol）のための無線リソース制御及び非アクセス層（ＮＡＳ；Non-Access  Stratum）のレイヤ３レベルの夫々でＬＴＥにおいて定義されるプロトコルレイヤのいくつかを示す。
【００１６】
ダウンリンク上で、物理レイヤレベルにおいて、夫々のセルは、従来、ＵＥがそのセルによって現在サービングされていようといなかろうと、範囲内の全てのＵＥへ多数のチャネル及び信号をブロードキャストする。本目的にとって特に興味深いことに、それらは物理ブロードキャストチャネル（ＰＢＣＨ；Physical  Broadcast  Channel）を含む。ＰＢＣＨは、後述されるように信号の範囲内にある如何なるＵＥへも基本情報を与える、いわゆるマスタ情報ブロック（ＭＩＢ；Master  Information  Block）を運ぶ。プライマリ及びセカンダリ同期信号（ＰＳＳ／ＳＳＳ；Primary  Synchronization  Signal/Secondary  Synchronization  Signal）も範囲内の全てのデバイスへブロードキャストされる。セルのためのタイミング基準を確立することに加えて、それらは、セルを識別するために物理レイヤセルアイデンティティ（ＰＣＩ；physical  layer  cell  identity）及び物理レイヤセルアイデンティティグループを運ぶ。
【００１７】
ＬＴＥ規格において、ＵＥは、セルに対して同期又は非同期のいずれか一方と見なされ得る。ＰＳＳ及びＳＳＳを復号することに成功することは、セルについてのダウンリンクタイミング及びセルＩＤを含む同期化情報をＵＥが得ることを可能にする。すなわち、ＵＥは、セルと“同期”することになる。同期状態において、ＵＥは、アップリンクにおいて（リソースはネットワークによって利用可能にされているとする。）、定義されたタイミングにより（アップリンクタイミングは、ダウンリンクタイミングから“タイミングアドバンス”ＴＡを減じることによって求められる。）、信号を送信することができる。
【００１８】
ＵＥがセルのＰＳＳ及びＳＳＳを復号すると、それは、セルの存在に気付き、先に言及されたＰＢＣＨ内のＭＩＢを復号してよい。ＰＢＣＨは、フレームごとに送信され、それによって、４つのフレームにわたってＭＩＢを搬送する。ＭＩＢは、システムバンド幅、送信アンテナポートの数、及びシステムフレーム番号（ＳＦＮ；system  frame  number）を含む、ＵＥがネットワークに加わるために必要とする基本情報のいくらかを含む。ＭＩＢを読み出すことは、ＵＥがシステム情報ブロック（ＳＩＢ；System  Information  Block）を受信し復号することを可能にする。
【００１９】
最初のシステム情報ブロック（ＳＩＢ１）は、ＵＥがセルにアクセスすることを許可されているかどうかを評価する場合に関係がある。ＵＥとセルとの関連付けが形成されるときに、ＵＥは、セル（又はサービングセル）からユーザデータ（パケット）を受信すること、及び／又はユーザデータをセルへ送信することを開始することができる。第２のシステム情報ブロック（ＳＩＢ２）は、全てのＵＥに共通である無線リソース構成情報を含む。それは、アクセス規制情報、共通及び共有チャネルの無線リソース構成、ＵＥによって使用されるタイマ及び定数、アップリンク電力制御情報、などを含む。ＳＩＢ２も、リソーブロックの数に関してアップリンクチャネルバンド幅及びアップリンクキャリア周波数に関する情報を与える。
【００２０】
ＵＥは、ＵＥが検出することができるセルに対してなされた測定に基づき、セル選択又は測定報告のような動作をとってよい。
【００２１】
測定のうちの重要なクラスは、無線リソース管理（ＲＲＭ；Radio  Resource  Management）のために使用され、それらは、通常は、どのセルが所与のＵＥにサービングすべきかを決定する根拠としてネットワークによって使用される。ネットワークによって使用されるこれまでのところ一般的な基準は、セルごとの受信無線信号電力（ＲＳＲＰ；received  radio  signal  power）及び受信無線信号品質（ＲＳＲＱ；received  radio  signal  quality）を含む。
【００２２】
ＲＳＲＰはＵＥによって測定され、リファレンス信号によって占有される全てのリソース要素についてのそのリファレンス信号の受信電力の平均値である。それに反して、他の電力測定であるリソース要素あたりのエネルギ（ＥＰＲＥ；Energy  Per  Resource  Element）は、その名が示すとおり、他のリソース要素（ＲＥ；Resource  Element）における所与のリファレンス信号についてセルによって伝送される電力を示す。ＥＰＲＥは、より高いレイヤによって与えられるパラメータリファレンス信号電力からＵＥによって導出され得る。
【００２３】
ＲＳＲＱは、Ｅ−ＵＴＲＡＮキャリアＲＳＳＩ（受信信号強度インジケータ；Received  Signal  Strength  Indicator）に対するＲＳＲＰの比として定義される。それらの測定は、ダウンリンク（ＤＬ）伝送に基づき所与のセルの適切性の確率の良好な指標を与えることができるが、所与のセルを使用するＵＥが発生させる可能性が高いＥＭＦを考慮しない。
【００２４】
ＵＥにおいて、ＰＨＹレイヤは、測定を実施し、測定されたデータを無線リソース制御（ＲＲＣ；Radio  Resource  Control）レイヤに報告する。ＲＲＣは、例えば、ローリング平均を測定に適用することによって、（構成されるならば）レイヤ３フィルタリングを実施し、単一の、通常はハイ又はロー測定が不必要な動作をトリガしないことを確かにする。次いで、結果は、測定報告がトリガされるかどうかを判定する報告基準の評価のために使用される。これらの態様に関する更なる背景は以下で与えられる。
【００２５】
ＬＴＥシステムにおいて、ＵＥは、様々な情報をネットワークに報告してよい。測定タイプに応じて、ＵＥは、次のいずれかについてのＲＳＲＰ及び／又はＲＳＲＱを測定し報告してよい：
・  サービングセル；
・  リストに載っているセル（すなわち、測定対象の部分として示されているセル）；
・  リストに載っている周波数上で検出されたセル（すなわち、リストに載っているセルではないがＵＥによって検出されるセル）。
【００２６】
いくつかのＲＡＴ（無線アクセス技術；Radio  Access  Technology）について、ＵＥは、リストに載っているセルのみを測定し報告し（すなわち、リストはホワイトリストである。）、一方で、他のＲＡＴについて、ＵＥはまた、検出されたセルを報告する。加えて、Ｅ−ＵＴＲＡＮは、（主として、ＣＳＧアイデンティティをブロードキャストするＵＴＲＡＮセルへのハンドオーバーのサポートのために）ＵＥが測定報告を送ることを許可されるＵＴＲＡＮ  ＰＣＩ範囲を設定することができる。
【００２７】
ＬＴＥについて、次の、イベントによってトリガされる報告基準が、指定される（セルのＲＳＲＰ及び／又はＲＳＲＱを参照する。）：
・イベントＡ１。サービングセルは、絶対閾よりも良くなる（すなわち、サービングセルのＲＳＲＰ及び／又はＲＳＲＱは、ネットワークによって指定されている閾値を上回る。）。
・イベントＡ２。サービングセルは、絶対閾よりも悪くなる。
・イベントＡ３。隣接するセルは、サービングセルに対するオフセットよりも良くなる。
・イベントＡ４。隣接するセルは、絶対閾よりも良くなる。
・イベントＡ５。サービングセルは、１つの絶対閾よりも悪くなり、隣接するセルは、他の絶対閾よりも良くなる。
【００２８】
ＲＡＴ間モビリティについて、次の、イベントによってトリガされる報告基準が、指定される：
・イベントＢ１。隣接するセルは、絶対閾よりも良くなる。
・イベントＢ２。サービングセルは、１つの絶対閾よりも悪くなり、隣接するセルは、他の絶対閾よりも良くなる。
【００２９】
Ｒｅｌ−８におけるセル選択について、ＲＳＲＰのみが上記の基準（「Ｓ基準」と呼ばれる。）において使用されるが、Ｒｅｌ−９以降については、ＲＳＲＰ及びＲＳＲＱの両方が、高いレベルのＲＳＲＰ及びＲＳＲＱを示すセルを選択するようＵＥを助けるために使用される。
【００３０】
ＵＥは、１つ以上のセルが指定された“エントリ条件”を満足するときに、イベントをトリガする。Ｅ−ＵＴＲＡＮは、それらの条件において使用されるいくつかの設定可能なパラメータの値、例えば、先に挙げられた閾値、オフセット、及び／又はヒステリシスのうちの１つ以上、を設定することによって、エントリ条件に作用することができる。エントリ条件は、少なくとも、イベントがトリガされるためにＥ−ＵＴＲＡＮによって設定された‘timeToTrigger’パラメータに対応する存続期間に、満足されるべきである。ＵＥは、その速さに応じてtimeToTriggerパラメータを調整する。
【００３１】
人が作り出した電磁場への環境曝露は、高まる電力需要、常に進歩し続ける技術、及び社会的行動の変化がますます人為的な原因を作り出すにつれて、着実に増大してきている。あらゆる人が、電力の発生及び伝送、屋内電気器具及び工業設備から電気通信及び放送まで、自宅及び職場の両方で、弱い電界及び磁界の複合混合物にさらされる。略語「ＥＭＦ」は、電磁場自体、及びそれらの電磁場への人の曝露の両方を表すために、以降で使用される。
【００３２】
あるレベルを上回る電磁場が生理学的作用をトリガし得ることは、問題となっていない。健康なボランティアによる実験は、環境内又は家庭内に存在するレベルでの短期間の曝露が如何なる目に見える有害な影響も引き起こさないことを示している。有害であり得るより高いレベルの曝露は、国家的及び国際的なガイドラインによって制限されている。
【００３３】
ＥＭＦ曝露の１つの原因は携帯電話の使用であり、モバイルユーザ自体だけではなく、ユーザ及び／又は基地局の周りの他人への曝露（本発明に、より関係がある。）がある。携帯電話の使用による長期間の健康への影響は、大部分の現在の調査の他のトピックである。低レベルの無線周波数場の曝露の明白な悪影響は発見されていない。
【００３４】
２０２０年までに、ネットワークに接続される数百億台のデバイスが存在することは、広く予想されている。例えば、エリクソン社は、２０２０年に５００億台のデバイスが接続されると予測している。このような膨大なデバイスがネットワーク及び人々の生活環境に加えられることになっていると考えると、そのような膨大なデバイスからのＥＭＦの影響は深刻な問題である。
【００３５】
無線通信システムにおいて、セル選択、再選択、又はハンドオーバーのための現在の基準は、性能又はデータレートの最適化に大いに基づいている。環境及びモバイル機器のユーザ自身以外の人への無線伝送の潜在的なＥＭＦの影響は、ほとんど又は全く考えられていない。
【発明の概要】
【００３６】
本発明の第１の態様に従って、１つ以上のセルを有する無線通信ネットワークにおいて使用される端末であって、前記セルのうちの少なくとも１つのセルは、当該端末のためのサービングセル又は潜在的なサービングセルであり、１人以上の人によって占有されるカバレッジエリアを有し、前記人のうちの少なくとも１人の人は、当該端末のユーザではない、端末において、
前記少なくとも１つのセルの夫々について電磁場（ＥＭＦ）曝露に関するインジケーションを含む前記ネットワークからのメッセージを受信する受信器と、
前記インジケーションに少なくとも基づき、前記少なくとも１つのセルとのダウンリンク及び／又はアップリンク上の無線通信を実施する当該端末の前記１人以上の人のうちの少なくとも１人の人に対するＥＭＦの影響を推定するコントローラと
を有する端末が提供される。
【００３７】
ここで、「潜在的なサービングセル」は、例えば、端末が無線通信のためのセルのカバレッジエリア内にあることによって、端末のためのサービングセルであることができるセルを意味する。
【００３８】
「端末のユーザではない人」によっては、（もし存在するならば）端末のユーザではなく、セルとの端末の無線通信の経路内にいる人が意味される。端末は、通常は、人であるユーザを伴うが、そのようなユーザは、（例えば、ＭＴＣデバイスの場合に）存在する必要がない点が留意されるべきである。
【００３９】
夫々のセルについての「ＥＭＦに関するインジケーション」は、以下で説明されるように、ＥＭＧに直接に関係があってよい。代替的に、それは、端末によるセルとの無線通信のＥＭＦの影響に関係する１つ以上のパラメータに関係があってよい。
【００４０】
「前記少なくとも１つのセルとのダウンリンク及び／又はアップリンク上の無線通信を実施する当該端末の前記１人以上の人のうちの少なくとも１人の人に対するＥＭＦの影響」は、セルとの端末のそのような無線通信により生じると推定される電磁場へのそのような人の曝露を意味し、以降では単に「ＥＭＦの影響」と呼ばれる。推定される量によって、ＥＭＦの影響は、潜在的な、可能性がある、あるいは、起こり得る影響であると理解される。動物又は電気機器へのＥＭＦの影響も考慮され得る。
【００４１】
望ましくは、端末における前記コントローラは、前記推定されたＥＭＦに関する測定報告を生成するよう更に構成される。これは、無条件に（すなわち、推定されるＥＭＦの影響の大きさにかかわらず）、あるいは、前記推定されたＥＭＦの影響が基準を満たす場合に、生成されてよい。そのような測定報告は、前記推定されたＥＭＦの影響のインジケーションを含んでよい。このような報告は、例えば、端末が所与のセルへハンドオーバーされるべきかどうかを判断することにおいてネットワークにガイダンスを提供するために、使用されてよい。
【００４２】
端末における前記コントローラは、前記推定されたＥＭＦの影響に少なくとも基づきセルを選択するよう更に構成されてよい。
【００４３】
いずれの場合にも、ネットワークから受け取られるインジケーションは、端末が前記セルからの伝送を受信することにより生じると期待されるＥＭＦレベルを望ましくは示す。
【００４４】
前記コントローラは、
当該端末によって期待されるデータレート、
当該端末によって期待される伝送の存続期間、
前記セルの及び／又は当該端末の伝送電力、
当該端末への及び／又は前記セルへの経路損失、
当該端末での及び／又は前記セルの受信アンテナでの干渉レベル、
前記セルの及び／又は当該端末の、送信アンテナ、又はアンテナポートの数、
前記セルのカバレッジエリア内の人の数、並びに当該端末からの及び／又は前記セルの送信アンテナからの彼らの平均距離、及び
リファレンス信号電力
のうちの少なくとも１つを用いて前記推定を実施してよい。
【００４５】
本発明の第２の態様に従って、無線通信ネットワークにおいて少なくとも１つのセルを提供する基地局であって、
前記少なくとも１つのセルの夫々についてＥＭＦ曝露に関するインジケーションを得るコントローラと、
前記インジケーションを少なくとも１つの端末へ送信する送信器と
を有する基地局が提供される。
【００４６】
ここで、前記送信器は、当該基地局によるシステム情報ブロードキャストにおいて前記インジケーションを送信するよう構成されてよい。
【００４７】
望ましくは、前記送信器は、特定のシグナリングによって前記端末へ前記インジケーションを送信するよう構成される。
【００４８】
基地局によって送信される前記インジケーションは、
前記端末が前記少なくとも１つのセルからの伝送を受信することで生じると期待されるＥＭＦレベルの直接又は相対インジケーション、
前記少なくとも１つのセルからのＤＬ伝送の伝送特性のインジケーション、
前記少なくとも１つのセルのＵＬ受信能力のインジケーション、
前記少なくとも１つのセル内の人の数のインジケーション、及び
前記端末への又はからの伝送経路の近くでの人の数のインジケーション
のうちの少なくとも１つを含んでよい。
【００４９】
基地局における前記コントローラは、前記ネットワークにおける他の基地局によって提供されるセルについてのリファレンス信号電力の値を得てよい。
【００５０】
基地局は、前記インジケーションに基づき推定されるＥＭＦの影響のインジケーションを含む測定報告を前記端末から受信するよう構成される受信器を更に有してよい。そのような報告は、例えば、どのセルが端末のサービングセルとして使用されるべきかに関して、基地局の前記コントローラでの意志決定において、及び／又はネットワーク内の別の場所で、使用されてよい。
【００５１】
前記コントローラは、当該基地局によって提供されるセルによってサービングされる端末からの受信電力の測定を得てよい。
【００５２】
先に定義されたいずれの端末又は基地局においても、インジケーションは、端末と基地局との間の
ダウンリンク、
アップリンク、又は
ダウンリンク及びアップリンク
に適用されてよい。
【００５３】
本発明の第３の態様に従って、夫々先に定義された少なくとも１つの端末及び少なくとも１つの基地局を有する無線通信システムが提供される。
【００５４】
本発明の第４の態様に従って、
基地局において、少なくとも１つのセルの夫々についてのＥＭＦ曝露に関するインジケーションを取得し、該インジケーションを端末へ送信し、
前記端末において、前記インジケーションを受信し、該インジケーションに少なくとも基づき、前記少なくとも１つのセルとのダウンリンク及び／又はアップリンク上の無線通信を実施する前記端末の１人以上の人に対するＥＭＦの影響を推定する
ことを有する無線通信方法が提供される。
【００５５】
このように、本発明は、測定報告及び／又はハンドオーバーのためにセルを選択するときに、端末の無線通信のＥＭＦの影響、特に、端末による無線通信により生じると推定される電磁場へのいずれの端末ユーザ以外の他者の曝露、を考慮する方法を提供する。そのような曝露は、ＤＬ通信（その場合に、曝露は基地局のＥＭＦによって引き起こされる。）及びＵＬ通信（その場合に、ＥＭＦは端末に起因する。）の両方から起こる。よって、本発明の実施形態は、ＤＬ、ＵＬ、又はその両方に適用され得る。
【００５６】
実施形態は、端末があるセルに接続される場合に発生するＥＭＦの影響を端末が理解することができるようにするために、ネットワークがインジケーションを端末へ送ることを可能にするダウンリンクシグナリングメカニズムを更に提供する。論じられている特定のインジケーションは、ダウンリンクにおいては、ＥＭＦ影響インジケータ又はＵＬビームフォーミング受信能力インジケータである。ＬＴＥへの適用のために、新しいイベントによりトリガされる端末測定報告の基準は、新しいＥＭＦに関連したメトリックに基づき端末が測定を報告することを可能にするよう、且つ、ＥＭＦの影響に関して測定報告をトリガするよう提案される。
【００５７】
新しいＥＭＦに基づく測定報告は、セル選択／再選択プロセスが環境（特に、端末の近くにいる他者）へのＥＭＦの影響の最小化又は最適化を考慮することを可能にする。本発明は、特に、ＥＭＦ曝露への人々の懸念を軽減し、且つ、ネットワークのロールアウトをオペレータにとってより簡単なものにすることができる。
【００５８】
先に使用された用語「セル」は、広く解釈されるべきであり、例えば、送信ポイント又はアクセスポイントの通信範囲を含んでよい。上述されたように、セルは、普通は基地局によって提供される。基地局は、標準の３ＧＰＰ  ＬＴＥ及び３ＧＰＰ  ＬＴＥ−Ａグループにおける実施のために提案された形を通常はとり、従って、種々の状況において必要に応じてｅＮＢ（ｅＮｏｄｅＢ）（当該語はホームｅＮＢ又はＨｅＮＢも含む。）として記載されてよい。なお、本発明の基本要件に従って、いくつか又は全ての基地局は、他の基地局との間の信号を送信及び受信するのに適した如何なる他の形もとってよい。
【００５９】
先に言及された「端末」は、ユーザ機器（ＵＥ）、サブスクライバ局（ＳＳ）、若しくは移動局、又は如何なる他の適切な固定位置又は移動可能な形もとってよい。本発明を視覚化することを目的として、便宜上、端末をモバイルハンドセットとして描くことがあるが、如何なる限定もこれから示されるべきではない。特に、システム内の全ての端末が、人であるユーザを伴うことを必要とするわけでない点が留意されるべきである。システムは、ベンディングマシン、スマートメーター、及び同様のもののような、いわゆるマシンタイプ通信（ＭＴＣ；Machine-Type  Communication）を更に有してよい。
【００６０】
好適な実施形態に従う装置は、ある機能を実施するよう構成又は配置されるものとして記載される。この構成又は配置は、ハードウェア若しくはミドルウェア又はあらゆる他の適切なデバイスの使用によってよい。好適な実施形態において、構成又は配置はソフトウェアによる。
【００６１】
更なる態様に従って、端末にロードされる場合に、該端末を、上記の方法の定義又はそれらのあらゆる組み合わせのいずれかに従う方法ステップを実際するよう構成するプログラムを記憶している非一時的なコンピュータ可読記録媒体が提供される。
【００６２】
一般に、述べられているハードウェアは、定義されている機能を提供する構成又は配置されるものとして挙げられている要素を有してよい。例えば、このハードウェアは、受信器、送信器（又は複合トランシーバ）、プロセッサ、メモリ／記憶媒体、ユーザインターフェイス、及び端末において一般に見受けられる他のハードウェアコンポーネントを含んでよい。
【００６３】
本発明は、デジタル電子回路構成において、あるいは、コンピュータハードウェア、ファームウェア、若しくはソフトウェア、又はそれらの組み合わせにおいて、実装され得る。本発明は、１つ以上のハードウェアモジュールによる実行のために、あるいは、１つ以上のハードウェアモジュールの動作を制御するために、コンピュータプログラム又はコンピュータプログラム製品、すなわち、情報担体において、例えば、マシン可読記憶媒体において又は伝播信号において、有形に具現されるコンピュータプログラム、として実装され得る。コンピュータプログラムは、スタンドアローンのプログラム、コンピュータプログラム部分、又は１つよりも多いコンピュータプログラムの形をとることができ、コンパイル又は解釈された言語を含むあらゆる形式のプログラム言語でも記述され得る。そして、それは、データ処理環境における使用に適したモジュール、コンポーネント、サブルーチン、又は他のユニットとして、あるいは、スタンドアローンのプログラムとして、を含め、如何なる形でも展開され得る。コンピュータプログラムは、１つのモジュールで又は１つの場所にある複数のモジュールで実行されるか、あるいは、車両上で又はバックエンドシステムにおいて複数の場所にわたって分配され、通信ネットワークによって相互接続されるよう、展開され得る。
【００６４】
本発明の方法ステップは、入力データに作用して出力データを生成することによって本発明の機能を実施するようコンピュータプログラムを実行する１つ以上のプログラム可能なプロセッサによって、実施され得る。
【００６５】
本発明は、特定の実施形態に関して記載される。他の実施形態は、続く特許請求の範囲の適用範囲内にある。例えば、方法のステップは、異なる順序で実施されながら依然として所望の結果を達成することができる。
【図面の簡単な説明】
【００６６】
単なる一例として、添付の図面が参照される。
【図１】ＬＴＥにおける基本システムアーキテクチャを表す。
【図２】スモールセルネットワーク（ＳＣＮ）を表す。
【図３】ＬＴＥにおける様々なチャネルを示す。
【図４】２つの基地局とのＵＥの通信により起こるＥＭＦの影響の第１の例を表す。
【図５】２つの基地局とのＵＥの通信により起こるＥＭＦの影響の第２の例を表す。
【図６】本発明を具現する方法におけるステップのフローチャートである。
【図７】本発明が適用され得る端末の略ブロック図である。
【図８】本発明が適用され得る基地局の略ブロック図である。
【発明を実施するための形態】
【００６７】
本発明の実施形態を説明する前に、対処される問題が、図４及び５に関して更に説明される。
【００６８】
図４は、ＵＥ１０を、ＵＥがキャンプオンするために利用可能な２つのセルＣｅｌｌ１及びＣｅｌｌ２とともに示す。伝送電力及び他の伝送パラメータ並びに無線リンク経路損失は、両方のセルについて同様であるとする。
【００６９】
Ｃｅｌｌ１とＣｅｌｌ２との間の相違点は、ＵＥがその後のＵＬ及びＤＬ伝送によりセルによってサービングされるときに、ＵＥへのそれらの無線チャネル品質ではなく、周囲の人たちへの潜在的なＥＭＦの影響である。図４は、Ｃｅｌｌ１におけるＤＬ伝送が、より大勢の人々が伝送経路の近くにいるとして、周囲の人間へのＥＭＦの影響が高い可能性があることを示す。Ｃｅｌｌ２は、伝送経路の近くにいる人々がよりずっと少ない。（このことを表す他の方法は、Ｃｅｌｌ１と比較して、より少ない人数が、Ｃｅｌｌ２によってカバーされる地理的範囲内にいることである。）従って、ネットワークは、ＵＥがＣｅｌｌ１よりもむしろＣｅｌｌ２によってサービングされることを好んでよい。ここで、「サービングされる」とは、ＤＬ、ＵＬ、又はその両方における伝送を言うことができる。
【００７０】
図５に示される第２の例では、Ｃｅｌｌ２は、より低い電力の送信器による小セルであるとする。Ｃｅｌｌ１は、より強い無線信号をＵＥにおいて有し、よって、より高いデータレートをサポートすることができる。Ｃｅｌｌ２は、送信器電力がより低いので、より弱い無線信号をＵＥにおいて有する。Ｃｅｌｌ２の無線信号は、より小さいセルサイズによる低減された経路損失によって部分的にのみオフセットされる。しかし、アップリンクにおいて、ＵＥは、Ｃｅｌｌ２へ送信するために電力をそれほど必要とせず、ＥＭＦは下げられ得る。
【００７１】
必要とされるものは、近くにいる人達への潜在的な又は可能性があるＥＭＦの影響に少なくとも部分的に基づくセルの選択を可能にする１つ以上のメカニズムである。
【００７２】
本発明の実施形態は、ＬＴＥのようなシステムに次の特徴を加えることによって、問題に対処する：
＊  ＵＬ及び／又はＤＬにおけるセルの使用により生じるＥＭＦの影響を予測又は推定する可能性
＊  以下のためのＵＥへの情報の提供：
−  ＵＬ及び／又はＤＬにおけるＥＭＦの決定を支援すること（例えば、セルごとの伝送パラメータのブロードキャスト）
−  特定のユーザ又は他のユーザ全般へのＥＭＦの影響の決定を支援すること（例えば、セルごとの人の存在のインジケーションに基づく。）
＊  ＵＥによってイベントによりトリガされる測定報告の基準におけるＥＭＦの包含
＊  ＵＥによるＥＭＦに基づく測定報告の構成（例えば、ＥＭＦの測定又は推定を含む。）
＊  例えば、ＥＭＦに基づく測定報告のための支援に関連した、ＵＥの機能。
【００７３】
ここで、「セルごとの人の存在のインジケーション」は、突き詰めれば、セル内の携帯電話のユーザの人数に基づいてよい。この場合に、人であるユーザを伴うＵＥとそうでない他のＵＥ（例えば、ＭＴＣデバイス）とを区別することが重要である。これは、例えば、ネットワークに知られているＵＥカテゴリに基づき行われ得る。あるカテゴリは、ＭＴＣデバイスに確保され、ＲＲＣシグナリングの部分としてのセルへのＵＥの接続の間に、あるいは、ＵＥへの特定の機能問い合わせの後に、ネットワークに知られるようになる。
【００７４】
より一般的には、モバイル機器のユーザだけでなく、監視／ＣＣＴＶシステムのような他の情報、あるいは、データベース（場合により、サードパーティ）によって、又は何らかのデフォルトの前提をネットワークに提供することによって提供される情報にも基づき、セルによってカバーされる地理的範囲における実際の人数を推定する試みが行われてよい。
【００７５】
ＵＥに、そのサービングセルからの潜在的なＥＭＦの影響、及び隣接するセルによって提供される潜在的な影響を気付かせることを助けるよう、新しいＤＬメッセージが提供されてよい。このメッセージの設計のための可能性は多数存在する。１つの選択は、潜在的なＥＭＦの影響をＵＥに知らせるためのセルの夫々からのＤＬブロードキャストメッセージである。このメッセージを運ぶ１つの方法は、ｅＮＢから情報をブロードキャストすることである。例えば、それは、システム情報（ＳＩ；System  Information）の部分として配信されてよい。
【００７６】
その一方で、アップリンクにおいて、ＵＥは、次の方法によってＵＬ上での潜在的なＥＭＦの影響の洞察を得てよい。第１には、経路損失を測定することであり、それにより、ＵＥは、関連するＵＬに必要とされる電力レベルを推定することができる。すなわち、ＤＬ経路損失を測定することによって、ＵＥは、ＵＬ経路損失が同じか又は同様であると通常は期待し、必要とされる伝送電力を然るべく推定することができる。第２の可能性は、セルが特定の受信器能力、例えば、アップリンクビームフォーミング／ＭＩＭＯのためのリファレンス信号を受信する能力を備えるかどうかを理解するようＵＥに求める。ＵＥがビームフォーミングによりアップリンク上で送信することができる場合に、選択されたパラメータの違いは、ＵＬ上でのＥＭＦの影響の違いを生じさせる。これを助けるよう、セルがＵＥにＵＬビームフォーミングを受信するそれらの能力を示すことが有益であり得る。これは、関連するｅＮＢで利用可能なハードウェアのインジケーションと、それがＵＬビームフォーミングを受信するよう構成されているかどうかとを含む。
【００７７】
一般に、別なふうに示されない限りは、以下で記載される実施形態はＬＴＥに基づき、ネットワークは複数のｅＮｏｄｅＢを有し、夫々のｅＮｏｄｅＢは１つ以上のダウンリンクセルを制御し、ダウンリンクセルの少なくともいくつかは対応するアップリンクセルを有する。夫々のＤＬは１つ以上の端末（ＵＥ）にサービングしてよく、端末は、そのサービングセルにおいて送信された信号を受信し復号してよい。ＵＥがサービングセル及び隣接するセルに対してチャネル条件の変化を経験する場合に、ネットワークへの測定報告はＵＥでトリガされてよい。
【００７８】
第１の実施形態において、夫々のセルは、システム情報ブロック（ＳＩＢ）においてＤＬ  ＥＭＦインジケータをブロードキャストし、一方で、範囲内にあるＵＥは、夫々のセルからの情報をモニタし復号する。これは、ＵＥがセルからＤＬ伝送を受信することで生じると期待される、他のセル又は定義された基準に対するＤＬ  ＥＭＦをＵＥに示す。ＵＥは、次いで、ＤＬ  ＥＭＦ影響メトリックを計算することができる。計算は、次のパラメータのうちの１つ以上に基づいてよい：
（ａ）  ＤＬ  ＥＭＦインジケータ
（ｂ）  期待されるデータレート
（ｃ）  期待される伝送存続期間
（ｄ）  セルの伝送電力
（ｅ）  ＵＥまでの経路損失
（ｆ）  ＵＥ受信器での干渉レベル
（ｇ）  ｅＮＢでの送信アンテナ（又はアンテナポート）の数
（ｈ）  セルのカバレッジエリア内の人の数及び（望ましくは）ｅＮＢまでの彼らの加重平均距離
（ｉ）  リファレンス信号電力（referenceSignalPower）（参照により本願に援用されるＴＳ３６．３３１セクション６．３．２を参照）。
【００７９】
上記のパラメータのいずれも、ＵＥによって決定され（又は予め知られ）、ＵＥへ信号により伝えられ、ＵＥがその現在地に関連したパラメータのデータベースを調べることによって取得され、あるいは、システムパラメータに応じて、例えば、使用されている周波数帯域に基づいて、ＵＥによって単に推定されてよい。
【００８０】
ここで、「期待されるデータレート」は、ＵＥ自身のサービス要求を言い、よって、既にＵＥによって知られている。「期待される存続期間」は、ＵＥによって要求されるか又はネットワークによってＵＥにプッシュされるデータのＤＬ伝送の期待される存続期間を意味する。「セルの伝送電力」は、ｅＮＢによって送信される電力であり、ＵＥへ信号により伝えられ得る。「ＵＥまでの経路損失」及び「ＵＥ受信器での干渉レベル」は、ＵＥによって測定され得る。「ｅＮＢでの送信アンテナの数」は、ＳＩＢの部分としてＵＥへ信号により伝えられ得、ＵＬビームフォーミング受信能力インジケータの一例である。
【００８１】
「セルのカバレッジエリア内の人の数」は、既に述べられたように、モバイルユーザに基づくことができ、あるいは、より一般的には、携帯電話のユーザであろうとなかろうとセル内の全ての人をカウントしてよい。それは最初にネットワークによって計算され、次いでＵＥへ信号により伝えられる。このパラメータは、必ずしもセル内の実際の人数ではない点が留意されるべきである。それは、例えば、人の密度とセルサイズとの結合であってよい。重み係数は、ＥＭＦ曝露が送信器からの距離の二乗により低減するという事実を考慮するよう、距離によるＥＭＦの変化を反映してよい。
【００８２】
「リファレンス信号電力」は、ＳＩＢ２の部分としてｅＮＢによって送信され、ＵＥが経路損失を計算することを可能にする（経路損失＝リファレンス信号電力−上位層でフィルタリングされたＲＳＲＰ（higher  layer  filtered  RSRP））。リファレンス信号電力は、ｄＢｍでの実際の値として、ダウンリンクリファレンス信号ＥＰＲＥを提供する。参照により本願に援用されるＴＳ３６．２１３セクション２３．５．２を参照されたい。１つの可能性は、ＥＰＲＥに加えて、ＳＩＢ２の部分として、隣接するセルに関するＤＬ  ＥＭＦインジケータも送信されることである。
【００８３】
ＤＬ  ＥＭＦインジケータは、例えば、ＣＱＩのような、又はＲＲＭ測定報告における１つの情報要素（ＩＥ）のような形をした、望ましくは、数ビットの単純な短いメッセージである。ＤＬ  ＥＭＦインジケータは、直接的な、相対的な、又は間接的な形態のいずれをとってもよい。直接指標の例として、ＤＬ  ＥＭＦインジケータは、０から１５のスケールにおける数値であってよく、０が最小のＥＭＦの影響を表し、１５が最大のＥＭＦの影響を表す。相対指標はＥＭＦの深刻度を直接的に示すのではなく、むしろ、所定の基準に対する重大性を示す。間接指標は、別の目的を主として意図されながら、ＵＥが影響メトリックを計算する際に使用することができる情報、例えば、セルからのＤＬ伝送電力、であってよい。低いＤＬ電力レベルは、ほとんどユーザがいない小セルを示し、ＵＬ  ＥＭＦ影響メトリックの低い値（すなわち、ほんの数人のユーザへのわずかの影響）を暗示する。
【００８４】
上記の説明から明らかなように、ＤＬ  ＥＭＦインジケータと挙げられている他のパラメータとの間にはいくらかの重複が存在する。ＤＬ  ＥＭＦインジケータは、リスト内の他のパラメータの１つ以上を組み合わせてよく（それらのパラメータは、ネットワークに知られている情報に関係がある。）、あるいは、代替的に、ＤＬ  ＥＭＦインジケータは、必ずしも、個別的なパラメータとして含まれる必要はない。
【００８５】
ＵＥは、上記の情報を使用して“ＤＬ影響メトリック”を計算する。これは“スコア”と見なされてよく、次いで、測定及び報告を開始するために、及び／又はセルと接続しようと試みるために、ＵＥによって使用されてよい。このＤＬ影響メトリックは、導入部において述べられた従来の測定／報告基準に加えて、あるいは、場合により、それに代えて、ＵＥによって使用される。
【００８６】
実施形態のためのダウンリンクにおける１つの可能なプロシージャは、図６において示される。これは、図４及び５で表されているいずれのシナリオにも適用可能である。
【００８７】
最初のステップＳ１０で、関心のあるセルは、ＤＬ  ＥＭＦインジケータ、及び／又は上記のパラメータのいずれかであってネットワークに知られているもの、例えば、（ａ）、（ｄ）、（ｇ）、（ｈ）及び／又は（ｉ）を含むシステム情報をブロードキャストする。ステップＳ１２で、ＵＥは、ブロードキャストされた情報を、自身が知っているか、又は他のソースから得られる情報、例えば、パラメータ（ｂ）、（ｃ）、（ｅ）及び／又は（ｆ）と組み合わせて、ＤＬ影響メトリックを導出する。ステップＳ１４で、ＵＥは、自身が複数のセルの夫々について導出したＤＬ影響メトリックを比較する。Ｓ１６で、ＵＥは、ＥＭＦ影響メトリックの比較を使用してセルを選択し、そのセルによりランダムアクセスを開始する。ここで、ＤＬ影響メトリックは、他の因子（例えば、データレート）との間でバランスをとられた１つの因子であってよく、あるいは、選択において使用される唯一の因子であってよい。
【００８８】
図６に示されるプロセスは、周期的に繰り返されるか、あるいは、セルがＤＬ  ＥＭＦインジケータをブロードキャストするたびにトリガされてよい。
【００８９】
第１の実施形態の任意の部分として、ＵＥは、異なるセルについてのＤＬ  ＥＭＦ影響メトリックに少なくとも部分的に基づきランダムアクセスの試みのためにセルを選択してよい。
【００９０】
第１の実施形態の任意の部分として、ＤＬ  ＥＭＦインジケータは、ネットワーク運用及び保守（Operation  and  Maintenance）信号（Ｏ＆Ｍ）から又はＸ２インターフェイスによって得られる、隣接するｅＮＢからのリファレンス信号電力の値に関する情報から、ｅＮＢによって計算されてよい。
【００９１】
ＤＬ  ＥＭＦインジケータの計算は、測定されるセルからのＲＳＳＩだけでなくリファレンス信号電力の値も含むように変更された通常のＭＤＴ（Minimization  of  drive  test）又はＲＲＭタイプの測定を伴うが、ｅＮＢへ接続されているＵＥのための通常のＲＲＭ報告プロシージャを使用することによっても、ｅＮＢにおいて決定されてよい。
【００９２】
第１の実施形態の任意の部分として、イベントに基づきトリガするＵＥの測定報告のための少なくとも１つの基準は、関連するセルについてのＤＬ影響メトリックに依存する。新しいＥＭＦに基づく基準は、ＤＬ影響メトリックを閾値（ネットワークによって構成されてよく、あるいは、予め設定された値、又はユーザによって設定された値であってよい。）と比較することによって、先に述べられた従来の基準と同じように構成される。この新しいＥＭＦ関連記述が満足されるか又は超えられる場合には、ＵＥは、ハンドオーバープロシージャ又は他の目的のために測定報告をトリガする。この新しい基準は、単独で、あるいは、１つ以上の従来の基準と組み合わせて、使用されてよい。例えば、測定報告は、新しいＥＭＦに基づく基準及び従来の信号強度基準（イベントＡ１、Ａ２、など）の両方が満足されるときにトリガされてよい。
【００９３】
そのような新しいＥＭＦに基づく基準の例は、従来定義されているイベントＡ１などから類推して：
・  サービングセルがＥＭＦ影響メトリックに関して閾値よりも悪くなること；
・  隣接するセルが、ＥＭＦ影響メトリックに関して、サービングセルに対するオフセットよりも良くなること
などを含む。
【００９４】
このように、本発明は、ＤＬ又はＵＬについて所与のセルを用いてＵＥによって引き起こされる絶対的なＥＭＦの影響だけでなく、他のセルよりむしろ１つのセルを使用することで生じると期待されるＥＭＦの変化も評価するために使用され得る。ＤＬ影響メトリックを導出することは、ＵＥが自身の測定報告行動を変更することを可能にする。それにより、例えば、ＥＭＦの改善が他のセルを使用することによって期待されない場合には、そのセルについての測定報告は禁じられる。
【００９５】
第１の実施形態の変形例において、ＤＬ  ＥＭＦ影響インジケータに含まれる情報は、具体的に個々のＵＥへ信号により伝えることによって補足又は置換されてよい。
【００９６】
例えば、これは、ＵＥまでの伝送経路を考慮するよう上記のパラメータ「セルのカバレッジエリア内の人の数」が変更されることを可能にする。ＵＥの適切な位置を知っているならば、インジケーションは、セル内の全ての人（それらのうちの何人かは伝送経路から遠くに位置してよい。）よりむしろ、伝送経路の近くにいる人々（よって、そのＵＥからのＥＭＦによって影響を及ぼされる可能性がより高い人々）の方に重み付けされてよい。代替的に、又は追加的に、ｅＮＢは、インジケーションの部分として、ＵＥからの人々の加重平均距離を提供してよい。
【００９７】
第１の実施形態の変形例において、ＤＬ  ＥＭＦインジケータがＵＥに供給されない場合には、デフォルト値が適用されてよく、あるいは、値は、他の情報、例えば、ＵＥがＳＩＢ２を読み出すことができる全てのセルから得られるリファレンス信号電力、から導出されてよい。そのようなものとしてＤＬ  ＥＭＦインジケータがないことは、セルのカバレッジエリア内の人の数のような他の情報をネットワークが提供することを排除しない点が留意されるべきである。
【００９８】
第２の実施形態は、本発明がアップリンクに適用される点を除いて第１の実施形態と同じである。夫々のセルは、システム情報ブロック（ＳＩＢ）においてＵＬ  ＥＭＦインジケータをブロードキャストする。
【００９９】
任意であるが必須ではない特徴は、セルが、例えば、ＵＥビームフォーミング／ＭＩＭＯ、又はＳＩＢにおける高次変調の使用、に関するそれらの機能情報を含むことである。
【０１００】
ＵＥは、次いで、ＵＬ  ＥＭＦインジケータメトリックを計算することができる。この計算は、次のパラメータのうちの１つ以上に基づいてよい：
期待されるデータレート
期待される伝送存続期間
ＵＥの推定される伝送電力
ｅＮＢまでの経路損失
ｅＮＢ受信器での干渉レベル
ｅＮＢ受信器の受信能力（例えば、ＭＩＭＯ、高次変調）
ＵＥでの送信アンテナの数
ＵＥのＵＬカバレッジエリア内の人の数及びＵＥからの彼らの平均距離。
【０１０１】
第１の実施形態と同様に、ＵＥは、アクセス試行のために、又は測定報告のトリガのために、セル選択においてＵＬ  ＥＭＦ影響メトリックを使用してよい。
【０１０２】
第３の実施形態は、例えば、ＵＥがＵＬ及びＤＬ両方の影響メトリックを計算することを可能にするためのＵＬ及び／又はＤＬ  ＥＭＦインジケータのシグナリングのような、第１及び第２の実施形態からの特徴を組み合わせる。
【０１０３】
上記の実施形態の変形例において、ＤＬ及びＵＬ影響メトリックの結合のような、絶対的なＥＭＧの影響が決定される。
【０１０４】
図７は、本発明が適用され得るＵＥ１０の例を表すブロック図である。ＵＥ１０は、如何なるタイプのデバイスも含んでよく、上記の無線通信システムで使用されてよく、セルラー（若しくはセル）電話機（スマートフォンを含む。）、モバイル通信機能を持ったパーソナルデジタルアシスタント（ＰＤＡ）、モバイル通信コンポーネントを備えたラップトップ若しくはコンピュータシステム、及び／又は無線により通信するよう動作可能なあらゆるデバイスを含んでよい。ＵＥ１０は、少なくとも１つのアンテナ８０２へ接続されている送信器／受信器ユニット８０４（まとめて通信ユニットを定義する。）と、記憶媒体８０８の形をしたメモリへのアクセスを有するコントローラ８０６とを含む。コントローラ８０６は、例えば、マイクロプロセッサ、デジタル信号プロセッサ（ＤＳＰ）、特定用途向け集積回路（ＡＳＩＣ）、フィールドプログラマブルゲートアレイ（ＦＰＧＡ）、あるいは、例えば、上記のＤＬ及び／又はＵＬ影響メトリックを計算するために、上記の様々な機能を実施するようプログラムされるか又は別なふうに構成された他の論理回路であってよい。例えば、上記の様々な機能は、記憶媒体８０８におい記憶されており、コントローラ８０６によって実行されるコンピュータプログラムの形で、具現されてよい。送信／受信ユニット８０４は、コントローラ８０６の制御下で、上記のＥＭＦインジケータを含むセルからのブロードキャスト及びＵＥ特有のメッセージを受信し、且つ、上述されたように測定報告などを送信するよう、構成される。
【０１０５】
図８は、ｅＮＢ２０の例を表すブロック図である。それは、少なくとも１つのアンテナ９０２へ接続されている送信器／受信器ユニット９０４（まとめて通信ユニットを定義する。）と、コントローラ９０６とを含む。コントローラ９０６は、例えば、マイクロプロセッサ、ＤＳＰ、ＡＳＩＣ、ＦＰＧＡ、あるいは、上記のＤＬ  ＥＭＦインジケータを導出することを含め、上記の様々な機能を実施するようプログラムされるか又は別なふうに構成された他の論理回路であってよい。例えば、上記の様々な機能は、記憶媒体９０８において記憶されており、コントローラ９０６によって実行されるコンピュータプログラムの形で、具現されてよい。送信／受信ユニット９０４は、コントローラ９０６の制御下で、制御メッセージの送信などに関与する。
【０１０６】
要約すると、本発明の実施形態は、ＵＥによるセルの使用に起因してアップリンク及び／又はダウンリンク上で起こると推定されるＥＭＦ（すなわち、セルのｅＮＢがＤＬ上でＵＥへ送信することによって、又はＵＥ自身によってそのＵＬ伝送により、引き起こされるＥＭＦ）に基づき測定の報告又はセルの選択を実施するモバイル端末（ＵＥ）を提供する。１つの支援機構は、ＵＥがあるセルへ接続されるときに生じるＥＭＦの影響をＵＥが理解することができるようにするために、ネットワークがインジケーションをＵＥへ送ることを可能にするダウンリンクシグナリングメカニズムである。論じられている具体的なインジケーションは、ダウンリンクでは、ＥＭＦ影響インジケータ又はＵＬビームフォーミング受信能力インジケータである。ＬＴＥへの適用のために、新しいイベントによりトリガされるＵＥ測定報告の基準は、新しいＥＭＦに関連したメトリックに基づきＵＥが測定を報告することを可能にするよう、且つ、ＥＭＦの影響に関して測定報告をトリガするよう提案される。
【０１０７】
様々な変更は、本発明の適用範囲内で可能である。
【０１０８】
図６において、ＵＥは複数のセルを有し、それらの中からＵＥは特定のＤＬ伝送のために利用可能なセルを選択することができるとした。しかし、本発明は、ユーザが所与のサービスの期待されるＥＭＦの影響を確認することを可能にするよう、単一のセルという状況でさえ有効に適用され得る。例えば、ユーザがビデオをダウンロードしたいと望む場合に、彼又は彼女は、そうすることによる近くにいる他人へのＥＭＦの影響を確認し、場合により、ダウンロードを開始する前の自身の行動を変えたい（例えば、存在する人が少なくなる他の時点まで待機する。）と望むことがある。他の可能性は、ユーザが、多くのポータブル機器で利用可能な既存の電力管理設定と同様に、低いＥＭＦを達成することを優先するＵＥ上の設定を実施することである。
【０１０９】
便宜上、本発明は、特定のセルに関して記載されてきた。しかし、本発明は、セルの必要性なしで適用され得、異なる局（セルをサポートする基地局、移動局（例えば、Ｄ２Ｄ）、及び中継局のような、基地局のリモートレディオヘッドを介して通信する他のタイプの局を含む。）どうしの通信に関して記載されてよい。
【０１１０】
本発明は、ＬＴＥ  ＦＤＤ及びＴＤＤに、並びに、複合的なＴＤＤ／ＦＤＤ実施（すなわち、同じＦＤＤ／ＴＤＤタイプのセルに制限されない。）に同様に適用可能である。本原理は、ＵＭＴＳ又はＷｉ−Ｆｉ（登録商標）のような他の通信システムに適用され得る。然るに、「端末」への特許請求の範囲における言及は、あらゆる種類のユーザ機器、サブスクライバ局、モバイル端末、及び同様のものをカバーするよう意図され、ＬＴＥのＵＥに制限されない。
【０１１１】
上述されたように、無線通信システムにおける端末はＭＴＣデバイスを含んでよい。本発明は、例えば、ＭＴＣデバイスがどのセルに接続するかに影響を及ぼすよう、あるいは、高いＥＭＦ影響メトリックが計算される場合に送信／受信を変更するよう、ＭＴＣデバイスによる送信／受信に適用されてよい。一般に、ＭＴＣデバイス通信はタイムクリティカルではなく、従って、例えば、近くにいるユーザが少なくなりＥＭＦの影響が小さくなるまで延期されてよい。
【０１１２】
本発明の上記の実施形態は、ユーザ自身よりむしろ、端末の近くにいる人へのＥＭＦ曝露を対象とする。なお、必要に応じて、ユーザへのＥＭＦ曝露も、例えば、ハンドオーバーのためにセルを選択するときに、考慮されてよい。また、動物、又は、例えば、病院にある敏感な電子機器のような、人以外のものへのＥＭＦ曝露の可能性も考慮されてよい。
【０１１３】
上述された本発明の態様又は実施形態のいずれにおいても、様々な特徴は、ハードウェアにおいて、又は１つ以上のプロセッサで実行されるソフトウェアモジュールとして、実装されてよい。１つの態様の特徴は、他の態様のいずれにも適用されてよい。
【０１１４】
本発明はまた、本願で記載される方法のいずれかを実施するコンピュータプログラム又はコンピュータプログラム製品と、本願で記載される方法のいずれかを実施するプログラムを記憶しているコンピュータ可読媒体とを提供する。
【０１１５】
本発明を具現するコンピュータプログラムは、コンピュータ可読媒体において記憶されてよく、あるいは、それは、例えば、インターネットのウェブサイトから提供されるダウンロード可能なデータ信号のような信号の形をとってよく、あるいは、それは、如何なる他の形態であってもよい。
【０１１６】
様々な変更及び／又は改良は、特許請求の範囲の適用範囲から外れることなしに、まさに記載されている特定の実施形態に対してなされてよいことが明らかに理解されるべきである。
【０１１７】
上記の実施形態に加えて、以下の付記を開示する。
（付記１）
１つ以上のセルを有する無線通信ネットワークにおいて使用される端末であって、前記セルのうちの少なくとも１つのセルは、当該端末のためのサービングセル又は潜在的なサービングセルであり、１人以上の人によって占有されるカバレッジエリアを有し、前記人のうちの少なくとも１人の人は、当該端末のユーザではない、端末において、
前記少なくとも１つのセルの夫々について電磁場（ＥＭＦ）曝露に関するインジケーションを含む前記ネットワークからのメッセージを受信する受信器と、
前記インジケーションに少なくとも基づき、前記少なくとも１つのセルとのダウンリンク及び／又はアップリンク上の無線通信を実施する当該端末の前記１人以上の人のうちの少なくとも１人の人に対するＥＭＦの影響を推定するコントローラと
を有する端末。
（付記２）
前記コントローラは、無条件に、あるいは、前記推定されたＥＭＦの影響が基準を満たす場合に、前記推定されたＥＭＦに関する測定報告を生成するよう更に構成される、
付記１に記載の端末。
（付記３）
前記測定報告は、前記推定されたＥＭＦの影響のインジケーションを含む、
付記２に記載の端末。
（付記４）
前記コントローラは、前記推定されたＥＭＦの影響に少なくとも基づきセルを選択するよう更に構成される、
付記１に記載の端末。
（付記５）
前記インジケーションは、当該端末が前記セルからの伝送を受信することにより生じると期待されるＥＭＦレベルを示す、
付記１に記載の端末。
（付記６）
前記コントローラは、
当該端末によって期待されるデータレート、
当該端末によって期待される伝送の存続期間、
前記セルの及び／又は当該端末の伝送電力、
当該端末への及び／又は前記セルへの経路損失、
当該端末での及び／又は前記セルの受信アンテナでの干渉レベル、
前記セルの及び／又は当該端末の、送信アンテナ、又はアンテナポートの数、
前記セルのカバレッジエリア内の人の数、並びに当該端末からの及び／又は前記セルの送信アンテナからの彼らの平均距離、及び
リファレンス信号電力
のうちの少なくとも１つを用いて前記推定を実施する、
付記１に記載の端末。
（付記７）
無線通信ネットワークにおいて少なくとも１つのセルを提供する基地局であって、
前記少なくとも１つのセルの夫々についてＥＭＦ曝露に関するインジケーションを得るコントローラと、
前記インジケーションを少なくとも１つの端末へ送信する送信器と
を有する基地局。
（付記８）
前記送信器は、当該基地局によるシステム情報ブロードキャストにおいて前記インジケーションを送信するよう構成される、
付記７に記載の基地局。
（付記９）
前記送信器は、特定のシグナリングによって前記端末へ前記インジケーションを送信するよう構成される、
付記７に記載の基地局。
（付記１０）
前記インジケーションは、
前記端末が前記少なくとも１つのセルからの伝送を受信することで生じると期待されるＥＭＦレベルの直接又は相対インジケーション、
前記少なくとも１つのセルからのＤＬ伝送の伝送特性のインジケーション、
前記少なくとも１つのセルのＵＬ受信能力のインジケーション、
前記少なくとも１つのセル内の人の数のインジケーション、及び
前記端末への又はからの伝送経路の近くでの人の数のインジケーション
のうちの少なくとも１つを含む、
付記７に記載の基地局。
（付記１１）
前記インジケーションに基づき推定されるＥＭＦの影響のインジケーションを含む測定報告を前記端末から受信するよう構成される受信器
を更に有する付記７に記載の基地局。
（付記１２）
前記コントローラは、前記ネットワークにおける他の基地局によって提供されるセルについてのリファレンス信号電力の値を得る、
付記７に記載の基地局。
（付記１３）
前記コントローラは、当該基地局によって提供されるセルによってサービングされる端末からの受信電力の測定を得る、
付記７に記載の基地局。
（付記１４）
付記１に記載の少なくとも１つの端末及び付記７に記載の少なくとも１つの基地局を有する無線通信システム。
（付記１５）
基地局において、少なくとも１つのセルの夫々についてのＥＭＦ曝露に関するインジケーションを取得し、該インジケーションを端末へ送信し、
前記端末において、前記インジケーションを受信し、該インジケーションに少なくとも基づき、前記少なくとも１つのセルとのダウンリンク及び／又はアップリンク上の無線通信を実施する前記端末の１人以上の人に対するＥＭＦの影響を推定する
ことを有する無線通信方法。
【産業上の利用可能性】
【０１１８】
新しいＥＭＦに基づく測定報告は、セル選択／再選択プロセスが、環境へのＥＭＦの影響の最小化又は最適化を考慮することを可能にする。本発明は、特に、ＥＭＦ曝露への人々の懸念を軽減し、ネットワークロールアウトをオペレータにとってより容易にすることができる。
【符号の説明】
【０１１９】
１０            ユーザ機器（ＵＥ）
２０            ｅＮＢ
８０２，９０２  アンテナ
８０４，９０４  送信器／受信器ユニット
８０６，９０６  コントローラ
８０８，９０８  記憶媒体（メモリ）
【図１】
2017079468.tif 000003
【図２】
2017079468.tif 000004
【図３】
2017079468.tif 000005
【図４】
2017079468.tif 000006
【図５】
2017079468.tif 000007
【図６】
2017079468.tif 000008
【図７】
2017079468.tif 000009
【図８】
2017079468.tif 000010